(57)【要約】      （修正有）【課題】発光素子のドライブ電流を調整する外部回路を不要とするＩｒＤＡモジュールを初めとした受発光電子部品の提供。【解決手段】発光素子と受光素子と、前記発光素子及び前記受光素子を駆動する駆動素子とを有し、外部とデータの送受信を行う受発光電子部品において、外部とのデータの送受信を行うために前記駆動素子を制御するデータ信号入力端子と、外部電子機器を遠隔操作するために前記駆動素子を制御するリモコン信号入力端子と、データの送受信を行うのに適した電流を前記発光素子にドライブするための第１の電流発生手段と、リモコン信号の送信を行うのに適した電流を前記発光素子にドライブするための第２の電流発生手段と、前記第１及び第２の電流発生手段を選択的に切り替える手段とを有する。【選択図】図７
2005065229.tif 000002
【特許請求の範囲】
【請求項１】
発光素子と受光素子と、前記発光素子及び前記受光素子を駆動する駆動素子とを有し、前記発光素子及び前記受光素子を介して外部とデータの送受信を行う受発光電子部品において、外部とのデータの送受信を行うために前記駆動素子を制御するデータ信号制御素子からのデータ信号が入力されるデータ信号入力端子と、外部電子機器を遠隔操作するために前記駆動素子を制御するリモコン信号制御素子からのリモコン信号が入力されるリモコン信号入力端子と、データの送受信を行うのに適した電流を前記発光素子にドライブするための第１の電流発生手段と、リモコン信号の送信を行うのに適した電流を前記発光素子にドライブするための第２の電流発生手段と、前記第１及び第２の電流発生手段を選択的に切り替える手段とを有していることを特徴とする受発光電子部品。
【請求項２】
データ信号入力端子とリモコン信号入力端子のいずれか一方に、データ信号制御素子からのデータ信号と、リモコン信号制御素子からのリモコン信号の両方が入力されるように構成された請求項１記載の受発光電子部品。
【請求項３】
データの送信を行うのに適した電流を発光素子にドライブするための第一の電流発生手段と、リモコン信号の送信を行うのに適した電流を前記発光素子にドライブするための第二の電流発生手段と、前記第一及び第二の電流発生手段を選択的に切り替える手段と、前記発光素子に信号を伝達するための端子と、受光素子からの信号を受ける端子と、を有していることを特徴とする駆動素子。
【請求項４】
前記発光素子に信号を伝達するための端子に接続された発光素子と、前記受光素子からの信号を受ける端子に接続された受光素子と、請求項３記載の駆動素子を有していることを特徴とする受発光電子部品。
【請求項５】
外部とのデータの送受信を行うために前記駆動素子を制御するデータ信号制御素子からのデータ信号が入力されるデータ信号入力端子と、外部電子機器を遠隔操作するために前記駆動素子を制御するリモコン信号制御素子からのリモコン信号が入力されるリモコン信号入力端子と、
を有していることを特徴とする請求項４記載の受発光電子部品。
【請求項６】
外部とのデータの送受信を行うための前記駆動素子の制御と、外部電子機器を遠隔操作するための前記駆動素子の制御を行う、データ／リモコン兼用制御素子からの信号が入力される入力端子を有していることを特徴とする請求項４記載の受発光電子部品。
【請求項７】
前記受発光電子部品は少なくとも二つの入力端子を有しており、
外部とのデータの送受信を行うために前記駆動素子を制御するデータ信号制御素子と外部電子機器を遠隔操作するために前記駆動素子を制御するリモコン信号制御素子とが別々に設けられている場合は、
前記受発光電子部品の一の入力端子にはデータ信号制御素子からのデータ信号が入力され、前記受発光電子部品の他の入力端子にはリモコン信号制御素子からのリモコン信号が入力され、
外部とのデータの送受信を行うための前記駆動素子の制御と、外部電子機器を遠隔操作するための前記駆動素子の制御を行う、データ／リモコン兼用制御素子が用いられた場合において、
前記受発光電子部品の二つの入力端子のうちいずれかの一の入力端子に前記データ／リモコン兼用制御素子からの信号が入力されても使用することができる
ことを特徴とする請求項４記載の受発光電子部品。
【請求項８】
前記受発光電子部品は少なくとも二つの入力端子を有しており、
外部とのデータの送受信を行うために前記駆動素子を制御するデータ信号制御素子と外部電子機器を遠隔操作するために前記駆動素子を制御するリモコン信号制御素子とが別々に設けられている場合は、
前記受発光電子部品の一の入力端子にはデータ信号制御素子からのデータ信号が入力され、前記受発光電子部品の他の入力端子にはリモコン信号制御素子からのリモコン信号が入力され、
外部とのデータの送受信を行うための前記駆動素子の制御と、外部電子機器を遠隔操作するための前記駆動素子の制御を行う、データ／リモコン兼用制御素子が用いられた場合には、
データ信号制御素子とリモコン信号制御素子が別々に設けられた際にリモコン信号が入力される入力端子に前記データ／リモコン兼用制御素子からの信号が入力されることを特徴とする請求項４記載の受発光電子部品。
【請求項９】
前記受発光電子部品は少なくとも二つの入力端子を有しており、
外部とのデータの送受信を行うために前記駆動素子を制御するデータ信号制御素子と外部電子機器を遠隔操作するために前記駆動素子を制御するリモコン信号制御素子とが別々に設けられている場合は、
前記受発光電子部品の一の入力端子にはデータ信号制御素子からのデータ信号が入力され、前記受発光電子部品の他の入力端子にはリモコン信号制御素子からのリモコン信号が入力され、
外部とのデータの送受信を行うための前記駆動素子の制御と、外部電子機器を遠隔操作するための前記駆動素子の制御を行う、データ／リモコン兼用制御素子が用いられた場合には、
データ信号制御素子とリモコン信号制御素子が別々に設けられた際にデータ信号が入力される入力端子に前記データ／リモコン兼用制御素子からの信号が入力されることを特徴とする請求項４記載の受発光電子部品。
【請求項１０】
発光素子がＬＥＤ、受光素子がフォトダイオードである請求項１または請求項２または請求項４乃至請求項９のいずれかに記載の受発光電子部品。
【請求項１１】
データ信号制御素子がＩｒＤＡコントローラである請求項１または請求項２または請求項４乃至請求項１０のいずれかに記載の受発光電子部品。
【請求項１２】
請求項１または請求項２または請求項４乃至請求項１１のいずれかに記載の受発光電子部品を搭載した携帯端末。  
【発明の詳細な説明】
【技術分野】
【０００１】
本発明は、いわゆる発光素子や受光素子からなる受発光電子部品に関するものであり、例えば通信手段として用いられる電子部品が挙げられる。ＩｒＤＡ（Ｉｎｆｒａｒｅｄ  Ｄａｔａ  Ａｓｓｏｃｉａｔｉｏｎ：赤外線を使ったデータ通信の相互接続を推進する標準化団体）によって定められた規格に準ずる赤外線通信を行う携帯電話に搭載されるＩｒＤＡモジュールなどが本発明の電子部品に該当する。
【背景技術】
【０００２】
最近の携帯端末の普及と小型化や多機能化の流行により、例えば携帯電話においてはＩｒＤＡモジュールを従来の機能である電話番号の交換等のデータ交換機能のみにとどまらせず、図１に示すように家電を制御するリモコン送信機能を包括した、リモコン送信機能に対応したＩｒＤＡモジュール１００を搭載した携帯電話１３が誕生するに至った。これはデータ信号の一種であるＩｒＤＡデータ信号の送信のためにＩｒＤＡモジュール１００から発光される光信号の波長と、遠隔操作のために用いられるリモコンの光信号の波長とがほぼ同一であることから、発光素子であるＬＥＤ１２２のドライブ電流を変化させＬＥＤ１２２の放射強度を調整することによってＩｒＤＡモジュール１００を用いたデータの交換とリモコンによる遠隔操作を同一の発光素子を用いて実現したものである。  
【０００３】
前記リモコン送信機能に対応した携帯電話１３は図１に示すように、ＩｒＤＡモジュール１００と、ＩｒＤＡモジュール１００の外部に設置され、携帯電話のＣＰＵ４によって制御される、ＬＥＤ１２２を駆動するための電流発生手段（ＩｒＤＡドライバ）をドライブするタイミングの制御を行うデータ信号制御素子（ＩｒＤＡコントローラ２）と、ＬＥＤ１２２の放射強度を調整するための第１の抵抗６（Ｒ１）とＬＥＤ１２２の駆動電圧であるＬＥＤＶＣＣ５に加え、リモコン送信機能に対応するべく、ＩｒＤＡモジュール１００の外部に設置され、前記携帯電話のＣＰＵ４によって制御される、ＬＥＤ１２２を駆動するための電流発生手段（リモコンドライバ）をドライブするタイミングの制御を行うためのリモコン信号制御素子（リモコンコントローラ３）と、前記ＩｒＤＡコントローラ２からのＩｒＤＡデータ信号を送信するのに適した放射強度か、前記リモコンコントローラ３からのリモコン信号を送信するのに適した放射強度かを選択するためのスイッチ８（ＳＷ）と、そのための第２の抵抗７（Ｒ２）を設けることによって、その他の部品である表示部１２やアンテナ９や前記アンテナ９を制御するコミュニケーションＣＰＵ１０やキーボード１１とともに構成される。  
【０００４】
なお図２はＩｒＤＡモジュール１００を図１に示す携帯電話１３に搭載する際の詳細なブロック図（リモコン送信機能追加前）、図３はＩｒＤＡモジュール１００を図１に示す携帯電話１３に搭載する際の詳細なブロック図（リモコン送信機能追加後）を示しており、ＩｒＤＡモジュール１００は携帯電話１３からの電気信号を光信号に変えそれを送信するためのＬＥＤ１２２と、外部からのデータを光信号により受けそれを電気信号に変換するためのフォトダイオード１２０と、前記ＬＥＤ１２２と前記フォトダイオード１２０を駆動する駆動素子１２１と、基板１２３と、端子群１２５〜１２９とから構成されている。  
【０００５】
図１に示す上述の携帯電話１３ではＩｒＤＡコントローラ２を使用するかリモコンコントローラ３を使用するかで、ＬＥＤ１２２を発光させるタイミングを制御し、ＩｒＤＡコントローラ２からの信号を送信するかリモコンコントローラ３からの信号を送信するかで、ＬＥＤ１２２のドライブ電流を制御することにより放射強度を調整し、これにより所望の光信号を送信していた。すなわち、ＩｒＤＡコントローラ２を用いたＩｒＤＡデータ信号の送信に比べ、強い放射強度が必要なリモコンコントローラ３を用いたリモコン信号の送信時には、ＩｒＤＡモジュール１００の外部に取り付けられたスイッチ８により第２の抵抗７を使用せずに第１の抵抗６のみを使用してＬＥＤ１２２のドライブ電流を大きくし、ＩｒＤＡコントローラ２を用いたＩｒＤＡデータ信号の送信時に比べ大電流をＬＥＤ１２２にドライブすることで、ＬＥＤ１２２をリモコン信号の送信に適した放射強度で発光させリモコン信号を送信する。また、ＩｒＤＡコントローラ２を使用したＩｒＤＡデータ信号の送信にはリモコンコントローラ３を使用したリモコン信号の送信に比べ弱い放射強度を使用するので、外部に取り付けられたスイッチ８により第２の抵抗７を使用し、第１の抵抗６との２つの抵抗を使用することで、リモコン信号の送信に比べ小さな電流をＬＥＤ１２２にドライブし、ＬＥＤ１２２をＩｒＤＡデータ信号の送信に適した放射強度で発光させＩｒＤＡデータ信号を送信する。
【発明の開示】
【発明が解決しようとする課題】
【０００６】
本発明は従来の前記実情に鑑み、従来の技術に内在する欠点を解消する為になされたものであり、従って本発明の第１の目的は、発光素子のドライブ電流を調整するための切り替えスイッチとそのための余分な配線と抵抗を受発光電子部品の外部に設ける必要がなく、様々な製品によって変化する外部の仕様を容易に満足するインターフェースを備えるリモコン送信機能付ＩｒＤＡモジュールを初めとした受発光電子部品を提供することであり、第２の目的は前述の受発光電子部品を用いた携帯端末の提供である。
【課題を解決するための手段】
【０００７】
前記の第１の目的は、請求項１記載の発明である、発光素子と受光素子と、前記発光素子及び前記受光素子を駆動する駆動素子とを有し、前記発光素子及び前記受光素子を介して外部とデータの送受信を行う受発光電子部品において、外部とのデータの送受信を行うために前記駆動素子を制御するデータ信号制御素子からのデータ信号が入力されるデータ信号入力端子と、外部電子機器を遠隔操作するために前記駆動素子を制御するリモコン信号制御素子からのリモコン信号が入力されるリモコン信号入力端子と、データの送受信を行うのに適した電流を前記発光素子にドライブするための第１の電流発生手段と、リモコン信号の送信を行うのに適した電流を前記発光素子にドライブするための第２の電流発生手段と、前記第１及び第２の電流発生手段を選択的に切り替える手段とを有していることを特徴とする受発光電子部品によって達成される。  
【０００８】
前記第１の目的は、請求項２記載の発明である、データ信号入力端子とリモコン信号入力端子のいずれか一方に、データ信号制御素子からのデータ信号と、リモコン信号制御素子からのリモコン信号の両方が入力されるように構成された請求項１記載の受発光電子部品によって達成される。  
【０００９】
前記第１の目的は、請求項３記載の発明である、発光素子がＬＥＤ、受光素子がフォトダイオードである請求項１または請求項２記載の受発光電子部品によって達成される。  
【００１０】
前記第１の目的は、請求項４記載の発明である、データ信号制御素子がＩｒＤＡコントローラである請求項１ないし請求項３のいずれかに記載の受発光電子部品によって達成される。  
【００１１】
前記第２の目的は、請求項５記載の発明である、請求項１ないし請求項４のいずれかに記載の受発光電子部品を搭載した携帯端末によって達成される。
【発明の効果】
【００１２】
受発光電子部品の一例であるＩｒＤＡモジュールを組み込んだ携帯電話を設計する際、ＩｒＤＡモジュールに搭載されるＬＥＤの放射強度を調整するためのスイッチや、余分な配線と抵抗をＩｒＤＡモジュールの外部に設けることなく設計が可能となる。また小型化が望まれる携帯電話においては、本発明に係る受発光電子部品の一例であるリモコン送信機能付ＩｒＤＡモジュールは、特に携帯端末の回路基板の大小を左右する携帯端末の先端部に搭載される事が多く、このような場合には小型化につながる携帯端末の回路基板の縮小を可能とする。また携帯端末を設計する際、突然の配線の変更や搭載するコントローラ数の変更にも本発明に係る受発光電子部品の一例であるリモコン送信機能付ＩｒＤＡモジュールを用いることで変更により生じる不都合を受けにくくすることができる。すなわち製品によって変化する受発光電子部品の外部の仕様を容易に満足するインターフェースを提供することができる。
【発明を実施するための最良の形態】
【００１３】
以下、本発明を実施するための最良な形態について説明する。図１は従来のＩｒＤＡモジュールと、それにリモコン送信機能を付け加えるためのリモコンコントローラ等を搭載したリモコン送信機能付携帯電話と、それを用いたリモコン信号とＩｒＤＡデータ信号の送信を行う概略図、図２は従来のＩｒＤＡモジュールと、ＩｒＤＡコントローラとＬＥＤＶＣＣとの接続を示すブロック図（リモコン送信機能追加前）、図３は従来のＩｒＤＡモジュールと、ＩｒＤＡコントローラとリモコンコントローラとＬＥＤＶＣＣとの接続を示すブロック図（リモコン送信機能追加後）、図４は本発明に係わる受発光電子部品の一例であるリモコン送信機能付ＩｒＤＡモジュールの外観の斜視図、図５は本発明に係わる受発光電子部品の一例であるリモコン送信機能付ＩｒＤＡモジュールと、ＩｒＤＡコントローラとリモコンコントローラとＬＥＤＶＣＣとの接続を示すブロック図（ＩｒＤＡコントローラとリモコンコントローラが別）、図６は本発明に係る受発光電子部品の一例であるリモコン送信機能付ＩｒＤＡモジュールと、ＩｒＤＡ／リモコン兼用コントローラとＬＥＤＶＣＣとの接続を示すブロック図（ＩｒＤＡコントローラとリモコンコントローラが兼用）、図７は駆動素子を中心にした、本発明に係わるリモコン送信機能付ＩｒＤＡモジュールのブロック図である。  
【００１４】
本発明に係る受発光電子部品は一般的に、図４に示すように、平面視長矩形状に形成された基板２３と、この基板上に実装された発光素子、受光素子、および駆動素子２１と、これらを一体的に封止する樹脂パッケージなどからなる封止体３０とを具備して構成されており、受発光電子部品の一つとしては発光素子をＬＥＤ２２、受光素子をフォトダイオード２０としたリモコン送信機能付ＩｒＤＡモジュール１が挙げられる。前記基板２３は、ガラスエポキシ樹脂などからなり、その表面には、図示されていないが導体による所定の配線パターンが形成されている。前記基板の側面には、基板の厚み方向に延びる凹溝の内面に導体層が形成された複数の接続端子部３３が形成されており、この接続端子部３３は基板の表面に形成された前記配線パターンと接続されている。またＬＥＤ２２に対向する面に発光用レンズ３１，フォトダイオード２０に対向する面に受光用レンズ３２が形成されている。  
【００１５】
ＬＥＤ２２は基板２３上に実装され、金線などによってワイヤボンディングされて配線パターンと接続されている。フォトダイオード２０もＬＥＤ２２と同様に、基板２３上に実装され、金線などによってワイヤボンディングされて配線パターンと接続されている。また、駆動素子２１は、ＬＥＤ２２およびフォトダイオード２０による送受信動作を制御するものであり、基板２３上に実装され、かつ金線などによってワイヤボンディングされて配線パターンと接続されるとともに、配線パターンを通じてＬＥＤ２２およびフォトダイオード２０に接続される。  
【００１６】
もちろん、接続端子部３３の端子数は図４に示すように８個に限らない。また、図示しないが、周囲における電磁波の影響を抑制するためのシールドケースなどが、リモコン送信機能付ＩｒＤＡモジュール１の外形を覆うように設けられてもよい。  
【００１７】
次に、図４に示す受発光電子部品
の一例であるリモコン送信機能付ＩｒＤＡモジュール１を携帯端末等の回路基板（外部回路基板）に実装する方法について説明する。外部回路基板の表面には、リモコン送信機能付ＩｒＤＡモジュール１の各接続端子３３にそれぞれ対応する導体による配線パターンが形成されている。リモコン送信機能付ＩｒＤＡモジュール１を外部回路基板に実装する際には、基板２３の裏面が外部回路基板の表面に対して直交方向に沿うように実装され、接続端子部３３と外部回路基板の表面に形成された配線パターンとが半田付けにより接合される。この際、基板端子接続部３３である開口部は導体による配線パターン上に載るように構成されることとなる。なお、リモコン送信機能付ＩｒＤＡモジュール１は基板の裏面を外部回路基板に当接するように実装してもよい。  
【００１８】
半田付けにより外部回路基板に接続されたリモコン送信機能付ＩｒＤＡモジュール１と、リモコン送信機能付ＩｒＤＡモジュール１に制御信号を与え所望の信号を送信するためのコントローラとは外部回路基板の表面の導体による配線パターンにより接続される。ここで、図５に示すようにＩｒＤＡコントローラ２とリモコンコントローラ３は各々別個のコントローラとして外部回路基板に設置される場合と、図６に示すようにＩｒＤＡコントローラとリモコンコントローラを兼用したコントローラ（ＩｒＤＡ／リモコン兼用コントローラ）５０が外部回路基板に設置される場合がある。  
【００１９】
次に、駆動素子およびＩｒＤＡモジュールの動作を、ＩｒＤＡコントローラ２とリモコンコントローラ３が各々別個に用いられる場合（図５）と、ＩｒＤＡ／リモコン兼用コントローラ５０が用いられる場合（図６）とに分けて説明する。  
【００２０】
ＩｒＤＡコントローラ２とリモコンコントローラ３が各々別個に用いられている場合（図５）、図７に示す駆動素子２１のパッド６（４５），パッド７（４６），パッド９（４８）はそれぞれリモコン信号入力端子であるＴＸ−ＲＣ端子２４と、ＰＷＤＯＷＮ端子２５と、データ信号入力端子であるＴＸＤ端子２７の３入力端子にワイヤボンディングや配線パターンによって接続されているので、リモコン送信機能付ＩｒＤＡモジュール１は前記３つの入力端子への信号状態によって表１の様なa〜ｅの５通りの動作を行う。  
【００２１】
【表１】
2005065229.tif 000003
【００２２】
すなわちａ．ＰＷＤＯＷＮ端子２５がローレベル（Ｌ）、かつＴＸ−ＲＣ２４端子がＬ、かつＴＸＤ端子２７がＬである場合は、スイッチ４１は、ＩｒＤＡコントローラ２からのＩｒＤＡデータ信号を送信するのに適したＬＥＤ２２の放射強度を実現するためＬＥＤ２２に流れる電流を調整するための電流発生手段であるＩｒＤＡドライバ４２と、リモコンコントローラ３からのリモコン信号を送信するのに適したＬＥＤ２２の放射強度を実現するためＬＥＤ２２に流れる電流を調整するための電流発生手段であるリモコンドライバ４３のどちらへの信号も伝達しない状態となり、ＬＥＤ２２は駆動しない。ｂ．ＰＷＤＯＷＮ端子２５がＬ、かつＴＸ−ＲＣ端子２４がＬ、かつＴＸＤ端子２７がハイレベル（Ｈ）、又はＰＷＤＯＷＮ端子２５がＬ、かつＴＸ−ＲＣ端子２４がＨ、かつＴＸＤ端子２７がＨである場合は、スイッチ４１はＩｒＤＡドライバ４２への信号を伝達する状態となり、ＬＥＤ２２はＩｒＤＡデータ信号送信モードとして駆動する。ｃ．ＰＷＤＯＷＮ端子２５がＬ、かつＴＸ−ＲＣ端子２４がＨ、かつＴＸＤ端子２７がＬである場合は、スイッチ４１はリモコンドライバ４３への信号を伝達する状態となり、ＬＥＤ２２はリモコン信号送信モードとして駆動する。ｄ．ＰＷＤＯＷＮ端子２５がＨ、かつＴＸ−ＲＣ端子２４がＬ、かつＴＸＤ端子２７がＬである場合は、スイッチ４１はＩｒＤＡドライバ４２とリモコンドライバ４３のどちらへの信号も伝達しない状態となり、ＬＥＤ２２は駆動しない。ｅ．ＰＷＤＯＷＮ端子２５がＨ、かつＴＸ−ＲＣ端子２４がＬ、かつＴＸＤ端子２７がＨ、又はＰＷＤＯＷＮ端子２５がＨ、かつＴＸ−ＲＣ端子２４がＨ、かつＴＸＤ端子２７がＬ、又はＰＷＤＯＷＮ端子２５がＨ、かつＴＸ−ＲＣ端子２４がＨ、かつＴＸＤ端子２７がＨである場合、つまりＰＷＤＯＷＮ端子がＨであり、ＴＸ−ＲＣ端子２４またはＴＸＤ端子２７のどちらかがＨである場合は、スイッチ４１はリモコンドライバ４３への信号を伝達する状態となり、ＬＥＤ２２はリモコン信号送信モードとして駆動する。  
【００２３】
そして前記ａ〜ｅにおいて、ＰＷＤＯＷＮ端子２５がＬである場合は、ローパスフィルタやコンパレータやパルス整形等からなるから受信信号が通過する部分（受信信号処理部４０）を非導通にするためのパワーダウンコントロール４４は駆動せず、受信信号処理部４０は導通している状態となり受信回路はＯＮとなる。ＰＷＤＯＷＮ端子２５がＨである場合は、受信信号処理部４０を非導通にするためのパワーダウンコントロール４４は駆動し、受信信号処理部４０は導通していない状態となり受信回路はＯＦＦとなる。  
【００２４】
なお、図７に示す駆動素子２１のパッド４７はＲＸＤ端子２６へ、その他のパッド部４９はグランドや電源等に接続され、図５に示すＬＥＤＡ端子２８はＬＥＤＶＣＣ５と接続され、その他の端子２９はグランドや電源等に接続される。図７のうちその他パッド部４９が示すパッド部１０は発光素子であるＬＥＤ２２に駆動素子２１からの信号を伝達する端子であり、その他パッド部４９が示すパッド部１，２は受光素子であるフォトダイオード２０からの信号を駆動素子２１が受けるための端子である。  
【００２５】
ＩｒＤＡコントローラ２とリモコンコントローラ３が各々別個であるとき（図５）は前記表１のリモコン送信機能付ＩｒＤＡモジュール１のａ〜ｅに示す状態を組みあわせることによって、リモコン送信機能付ＩｒＤＡモジュール１を搭載した携帯電話同士によるデータの通信、あるいはリモコン送信機能付ＩｒＤＡモジュール１を搭載した携帯電話を用いて家電の遠隔操作を行う。  
【００２６】
例えば携帯電話同士で、リモコン送信機能付ＩｒＤＡモジュール１を用いて電話番号等のデータを送受信する際には、携帯電話に搭載される携帯電話のＣＰＵ４によってデータ送信側の携帯電話は表１の状態bとなり、その後データ送信を開始する。すなわち、送信側ではＩｒＤＡコントローラ２が選択され、図７のスイッチ４１はＩｒＤＡドライバ４２への信号を伝達する状態となり、図５のＩｒＤＡコントローラ２からの信号はＴＸＤ端子２７から入力され図７のＩｒＤＡドライバ４２を駆動し、駆動されたＩｒＤＡドライバ４２はＬＥＤ２２を駆動することによってＩｒＤＡ信号送信機能対応の放射強度にてＩｒＤＡデータ信号を送信する。  
【００２７】
受信側では携帯電話は表１のａの状態であり、受信回路がＯＮであることから図７に示すフォトダイオード２０により送信側からのＩｒＤＡデータ信号を受信し、ＩｒＤＡデータ信号を受信信号処理部４０を通過させることにより、受信したＩｒＤＡデータ信号に含まれるノイズを取り除き波形整形をした後、駆動素子２１のパッド８と、駆動素子２１のパッド８に接続されているリモコン送信機能付ＩｒＤＡモジュール１のＲＸＤ端子２６を経て、図５のＩｒＤＡコントローラ２を介し携帯電話のＣＰＵ４にその信号を伝える。  
【００２８】
また、リモコン送信機能付ＩｒＤＡモジュール１を用いて家電等を遠隔操作する際には、図５の携帯電話に搭載される携帯電話のＣＰＵ４によって図７のリモコンコントローラ３が選択され、スイッチ４１はリモコンドライバ４３への信号を伝達する状態となり、図５のリモコンコントローラ３からの信号はＴＸ−ＲＣ端子２４から入力され図７のリモコンドライバ４３を駆動し、駆動されたリモコンドライバ４３はＬＥＤ２２を駆動することによってリモコン送信機能対応の放射強度にてリモコン信号を送信する。  
【００２９】
ＩｒＤＡコントローラ２とリモコンコントローラ３が兼用であるＩｒＤＡ／リモコン兼用コントローラ５０を用いた場合（図６）は、図７に示す駆動素子２１のパッド７（４６），パッド９（４８）はそれぞれＰＷＤＯＷＮ端子２５と、データ信号入力端子であるＴＸＤ端子２７の２つの入力端子にワイヤボンディングや配線パターンによって接続されているので、リモコン送信機能付ＩｒＤＡモジュール１は前記２つの入力端子への信号状態によって表２の様なｆ〜ｉの４通りの動作を行う。  
【００３０】
【表２】
2005065229.tif 000004
【００３１】
すなわちｆ．ＰＷＤＯＷＮ端子２５がＬ、かつＴＸＤ端子２７がＬである場合は、スイッチ４１はＩｒＤＡドライバ４２とリモコンドライバ４３のどちらへの信号も伝達しない状態となり、ＬＥＤ２２は駆動しない。ｇ．ＰＷＤＯＷＮ端子２５がＬ、かつＴＸＤ端子２７がＨである場合は、スイッチ４１はＩｒＤＡドライバ４２への信号を伝達する状態となり、ＬＥＤ２２はＩｒＤＡデータ信号送信モードとして駆動する。ｈ．ＰＷＤＯＷＮ端子２５がＨ、かつＴＸＤ端子２７がＬである場合は、スイッチ４１はＩｒＤＡドライバ４２とリモコンドライバ４３のどちらへの信号も伝達しない状態となり、ＬＥＤ２２は駆動しない。ｉ．ＰＷＤＯＷＮ端子２５がＨ、かつＴＸＤ端子２７がＨである場合は、スイッチ４１はリモコンドライバ４３への信号を伝達する状態となり、ＬＥＤ２２はリモコン信号送信モードとして駆動する。  
【００３２】
そして前記ｆ〜ｉにおいて、ＰＷＤＯＷＮ端子２５がＬである場合は、受信信号処理部４０を非導通にするためのパワーダウンコントロール４４は駆動せず、受信信号処理部４０は導通している状態となり受信回路はＯＮとなる。ＰＷＤＯＷＮ端子２５がＨである場合は、受信信号処理部４０を非導通にするためのパワーダウンコントロール４４は駆動し、受信信号処理部４０は導通していない状態となり受信回路はＯＦＦとなる。  
【００３３】
本実施の形態ではデータ信号入力端子であるＴＸＤ端子２７に、ＩｒＤＡ／リモコン兼用コントローラ５０からの信号が入力されているが、ＴＸＤ端子２７にかえてリモコン信号入力端子であるＴＸ−ＲＣ端子２４にＩｒＤＡ／リモコン兼用コントローラ５０からの信号が入力されても同一の効果が発揮できるような設計も行なうことができる。なお、ＴＸＤ端子２７の変わりにＴＸ−ＲＣ端子２４を用いると常にＬＥＤ２２がリモコン信号モードとして駆動する状態を創り出すことも可能である。  
【００３４】
本発明は、上述した実施形態に限られることなく、特許請求の範囲に記載した事項の範囲内でのあらゆる設計変更はすべて本発明の範囲に含まれる。例えば、コントローラと入力端子は上述した個数と本数に限られない。また入力端子とＩｒＤＡモジュールの動作の関係はあくまで一例である。また受発光電子部品の一例であるＩｒＤＡモジュールが搭載される携帯端末としては携帯電話、ノートパソコン、システム手帳、ハンドヘルドＰＣ等があり、人間が普段の生活において持ち運びができる端末の全てをいうものとする。携帯端末のほか、本発明に係る受発光電子部品の一例であるＩｒＤＡモジュールは例えば家電製品といった携帯端末以外の日常生活における電子機器や、電気的な動作をするものであればどんなものに搭載してもよい。
【図面の簡単な説明】
【００３５】
【図１】従来のＩｒＤＡモジュールと、それにリモコン送信機能を付け加えるためのリモコンコントローラ等を搭載したリモコン送信機能付携帯電話と、それを用いたリモコン信号とＩｒＤＡデータ信号の送信を行う概略図である。
【図２】従来のＩｒＤＡモジュールと、ＩｒＤＡコントローラとＬＥＤＶＣＣとの接続を示すブロック図（リモコン送信機能追加前）である。
【図３】従来のＩｒＤＡモジュールと、ＩｒＤＡコントローラとリモコンコントローラとＬＥＤＶＣＣとの接続を示すブロック図（リモコン送信機能追加後）である。
【図４】受発光電子部品の一例であるリモコン送信機能付ＩｒＤＡモジュールの外観の斜視図である。
【図５】本発明に係る受発光電子部品の一例であるリモコン送信機能付ＩｒＤＡモジュールと、ＩｒＤＡコントローラとリモコンコントローラとＬＥＤＶＣＣとの接続を示すブロック図（ＩｒＤＡコントローラとリモコンコントローラが別）である。
【図６】本発明に係る受発光電子部品の一例であるリモコン送信機能付ＩｒＤＡモジュールと、ＩｒＤＡ／リモコン兼用コントローラとＬＥＤＶＣＣとの接続を示すブロック図（ＩｒＤＡコントローラとリモコンコントローラが兼用）である。
【図７】駆動素子を中心にした、本発明に係わる受発光電子部品の一例であるリモコン送信機能付ＩｒＤＡモジュールのブロック図である。
【符号の説明】
【００３６】
１  リモコン送信機能付ＩｒＤＡモジュール２  ＩｒＤＡコントローラ（データ信号制御素子）３  リモコンコントローラ（リモコン信号制御素子）４  携帯電話のＣＰＵ１３  携帯電話２０  フォトダイオード２１  駆動素子２２  ＬＥＤ２３  基板２４  ＴＸ−ＲＣ端子（リモコン信号入力端子）２５  ＰＷＤＯＷＮ端子２７  ＴＸＤ端子（データ信号入力端子）５０  ＩｒＤＡ／リモコン兼用コントローラ（データ／リモコン兼用制御素子）
【図１】
2005065229.tif 000005
【図２】
2005065229.tif 000006
【図３】
2005065229.tif 000007
【図４】
2005065229.tif 000008
【図５】
2005065229.tif 000009
【図６】
2005065229.tif 000010
【図７】
2005065229.tif 000011
【手続補正書】
【提出日】平成16年6月17日(2004.6.17)
【手続補正１】
【補正対象書類名】明細書
【補正対象項目名】全文
【補正方法】変更
【補正の内容】
【発明の詳細な説明】
【技術分野】
【０００１】
本発明は、いわゆる発光素子や受光素子からなる受発光電子部品に関するものであり、例えば通信手段として用いられる電子部品が挙げられる。ＩｒＤＡ（Ｉｎｆｒａｒｅｄ  Ｄａｔａ  Ａｓｓｏｃｉａｔｉｏｎ：赤外線を使ったデータ通信の相互接続を推進する標準化団体）によって定められた規格に準ずる赤外線通信を行う携帯電話に搭載されるＩｒＤＡモジュールなどが本発明の電子部品に該当する。
【背景技術】
【０００２】
最近の携帯端末の普及と小型化や多機能化の流行により、例えば携帯電話においてはＩｒＤＡモジュールを従来の機能である電話番号の交換等のデータ交換機能のみにとどまらせず、図１に示すように家電を制御するリモコン送信機能を包括した、リモコン送信機能に対応したＩｒＤＡモジュール１００を搭載した携帯電話１３が誕生するに至った。これはデータ信号の一種であるＩｒＤＡデータ信号の送信のためにＩｒＤＡモジュール１００から発光される光信号の波長と、遠隔操作のために用いられるリモコンの光信号の波長とがほぼ同一であることから、発光素子であるＬＥＤ１２２のドライブ電流を変化させＬＥＤ１２２の放射強度を調整することによってＩｒＤＡモジュール１００を用いたデータの交換とリモコンによる遠隔操作を同一の発光素子を用いて実現したものである。  
【０００３】
前記リモコン送信機能に対応した携帯電話１３は図１に示すように、ＩｒＤＡモジュール１００と、ＩｒＤＡモジュール１００の外部に設置され、携帯電話のＣＰＵ４によって制御される、ＬＥＤ１２２を駆動するための電流発生手段（ＩｒＤＡドライバ）をドライブするタイミングの制御を行うデータ信号制御素子（ＩｒＤＡコントローラ２）と、ＬＥＤ１２２の放射強度を調整するための第１の抵抗６（Ｒ１）とＬＥＤ１２２の駆動電圧であるＬＥＤＶＣＣ５に加え、リモコン送信機能に対応するべく、ＩｒＤＡモジュール１００の外部に設置され、前記携帯電話のＣＰＵ４によって制御される、ＬＥＤ１２２を駆動するための電流発生手段（リモコンドライバ）をドライブするタイミングの制御を行うためのリモコン信号制御素子（リモコンコントローラ３）と、前記ＩｒＤＡコントローラ２からのＩｒＤＡデータ信号を送信するのに適した放射強度か、前記リモコンコントローラ３からのリモコン信号を送信するのに適した放射強度かを選択するためのスイッチ８（ＳＷ）と、そのための第２の抵抗７（Ｒ２）を設けることによって、その他の部品である表示部１２やアンテナ９や前記アンテナ９を制御するコミュニケーションＣＰＵ１０やキーボード１１とともに構成される。  
【０００４】
なお図２はＩｒＤＡモジュール１００を図１に示す携帯電話１３に搭載する際の詳細なブロック図（リモコン送信機能追加前）、図３はＩｒＤＡモジュール１００を図１に示す携帯電話１３に搭載する際の詳細なブロック図（リモコン送信機能追加後）を示しており、ＩｒＤＡモジュール１００は携帯電話１３からの電気信号を光信号に変えそれを送信するためのＬＥＤ１２２と、外部からのデータを光信号により受けそれを電気信号に変換するためのフォトダイオード１２０と、前記ＬＥＤ１２２と前記フォトダイオード１２０を駆動する駆動素子１２１と、基板１２３と、端子群１２５〜１２９とから構成されている。  
【０００５】
図１に示す上述の携帯電話１３ではＩｒＤＡコントローラ２を使用するかリモコンコントローラ３を使用するかで、ＬＥＤ１２２を発光させるタイミングを制御し、ＩｒＤＡコントローラ２からの信号を送信するかリモコンコントローラ３からの信号を送信するかで、ＬＥＤ１２２のドライブ電流を制御することにより放射強度を調整し、これにより所望の光信号を送信していた。すなわち、ＩｒＤＡコントローラ２を用いたＩｒＤＡデータ信号の送信に比べ、強い放射強度が必要なリモコンコントローラ３を用いたリモコン信号の送信時には、ＩｒＤＡモジュール１００の外部に取り付けられたスイッチ８により第２の抵抗７を使用せずに第１の抵抗６のみを使用してＬＥＤ１２２のドライブ電流を大きくし、ＩｒＤＡコントローラ２を用いたＩｒＤＡデータ信号の送信時に比べ大電流をＬＥＤ１２２にドライブすることで、ＬＥＤ１２２をリモコン信号の送信に適した放射強度で発光させリモコン信号を送信する。また、ＩｒＤＡコントローラ２を使用したＩｒＤＡデータ信号の送信にはリモコンコントローラ３を使用したリモコン信号の送信に比べ弱い放射強度を使用するので、外部に取り付けられたスイッチ８により第２の抵抗７を使用し、第１の抵抗６との２つの抵抗を使用することで、リモコン信号の送信に比べ小さな電流をＬＥＤ１２２にドライブし、ＬＥＤ１２２をＩｒＤＡデータ信号の送信に適した放射強度で発光させＩｒＤＡデータ信号を送信する。
【発明の開示】
【発明が解決しようとする課題】
【０００６】
本発明は従来の前記実情に鑑み、従来の技術に内在する欠点を解消する為になされたものであり、従って本発明の第１の目的は、発光素子のドライブ電流を調整するための切り替えスイッチとそのための余分な配線と抵抗を受発光電子部品の外部に設ける必要がなく、様々な製品によって変化する外部の仕様を容易に満足するインターフェースを備えるリモコン送信機能付ＩｒＤＡモジュールを初めとした受発光電子部品を提供することであり、第２の目的は前述の受発光電子部品を用いた携帯端末の提供である。
【課題を解決するための手段】
【０００７】
前記の第１の目的は、請求項１記載の発明である、発光素子と受光素子と、前記発光素子及び前記受光素子を駆動する駆動素子とを有し、前記発光素子及び前記受光素子を介して外部とデータの送受信を行う受発光電子部品において、外部とのデータの送受信を行うために前記駆動素子を制御するデータ信号制御素子からのデータ信号が入力されるデータ信号入力端子と、外部電子機器を遠隔操作するために前記駆動素子を制御するリモコン信号制御素子からのリモコン信号が入力されるリモコン信号入力端子と、データの送受信を行うのに適した電流を前記発光素子にドライブするための第１の電流発生手段と、リモコン信号の送信を行うのに適した電流を前記発光素子にドライブするための第２の電流発生手段と、前記第１及び第２の電流発生手段を選択的に切り替える手段とを有していることを特徴とする受発光電子部品によって達成される。  
【０００８】
前記第１の目的は、請求項２記載の発明である、データ信号入力端子とリモコン信号入力端子のいずれか一方に、データ信号制御素子からのデータ信号と、リモコン信号制御素子からのリモコン信号の両方が入力されるように構成された請求項１記載の受発光電子部品によって達成される。  
【０００９】
前記第１の目的は、請求項３記載の発明である、データの送信を行うのに適した電流を発光素子にドライブするための第一の電流発生手段と、リモコン信号の送信を行うのに適した電流を前記発光素子にドライブするための第二の電流発生手段と、前記第一及び第二の電流発生手段を選択的に切り替える手段と、前記発光素子に信号を伝達するための端子と、受光素子からの信号を受ける端子とを有していることを特徴とする駆動素子によって達成される。  
【００１０】
前記第１の目的は、請求項４記載の発明である、発光素子に信号を伝達するための端子に接続された発光素子と、前記受光素子からの信号を受ける端子に接続された受光素子と、請求項３記載の駆動素子を有していることを特徴とする受発光電子部品によって達成される。  
【００１１】
前記第１の目的は、請求項５記載の発明である、外部とのデータの送受信を行うために前記駆動素子を制御するデータ信号制御素子からのデータ信号が入力されるデータ信号入力端子と、外部電子機器を遠隔操作するために前記駆動素子を制御するリモコン信号制御素子からのリモコン信号が入力されるリモコン信号入力端子とを有していることを特徴とする請求項４記載の受発光電子部品によって達成される。
【００１２】
前記第１の目的は、請求項６記載の発明である、外部とのデータの送受信を行うための前記駆動素子の制御と、外部電子機器を遠隔操作するための前記駆動素子の制御を行う、データ／リモコン兼用制御素子からの信号が入力される入力端子を有していることを特徴とする請求項４記載の受発光電子部品によって達成される。
【００１３】
前記第１の目的は、請求項７記載の発明である、前記受発光電子部品は少なくとも二つの入力端子を有しており、
外部とのデータの送受信を行うために前記駆動素子を制御するデータ信号制御素子と外部電子機器を遠隔操作するために前記駆動素子を制御するリモコン信号制御素子とが別々に設けられている場合は、
前記受発光電子部品の一の入力端子にはデータ信号制御素子からのデータ信号が入力され、前記受発光電子部品の他の入力端子にはリモコン信号制御素子からのリモコン信号が入力され、
外部とのデータの送受信を行うための前記駆動素子の制御と、外部電子機器を遠隔操作するための前記駆動素子の制御を行う、データ／リモコン兼用制御素子が用いられた場合には、
前記受発光電子部品の二つの入力端子のうちいずれかの一の入力端子に前記データ／リモコン兼用制御素子からの信号が入力されても使用することができる
ことを特徴とする請求項４記載の受発光電子部品によって達成される。
【００１４】
前記第１の目的は、請求項８記載の発明である、前記受発光電子部品は少なくとも二つの入力端子を有しており、
外部とのデータの送受信を行うために前記駆動素子を制御するデータ信号制御素子と外部電子機器を遠隔操作するために前記駆動素子を制御するリモコン信号制御素子とが別々に設けられている場合は、
前記受発光電子部品の一の入力端子にはデータ信号制御素子からのデータ信号が入力され、前記受発光電子部品の他の入力端子にはリモコン信号制御素子からのリモコン信号が入力され、
外部とのデータの送受信を行うための前記駆動素子の制御と、外部電子機器を遠隔操作するための前記駆動素子の制御を行う、データ／リモコン兼用制御素子が用いられた場合には、
データ信号制御素子とリモコン信号制御素子が別々に設けられた際にリモコン信号が入力される入力端子に前記データ／リモコン兼用制御素子からの信号が入力されることを特徴とする請求項４記載の受発光電子部品によって達成される。
【００１５】
前記第１の目的は、請求項９記載の発明である、前記受発光電子部品は少なくとも二つの入力端子を有しており、
外部とのデータの送受信を行うために前記駆動素子を制御するデータ信号制御素子と外部電子機器を遠隔操作するために前記駆動素子を制御するリモコン信号制御素子とが別々に設けられている場合は、
前記受発光電子部品の一の入力端子にはデータ信号制御素子からのデータ信号が入力され、前記受発光電子部品の他の入力端子にはリモコン信号制御素子からのリモコン信号が入力され、
外部とのデータの送受信を行うための前記駆動素子の制御と、外部電子機器を遠隔操作するための前記駆動素子の制御を行う、データ／リモコン兼用制御素子が用いられた場合には、
データ信号制御素子とリモコン信号制御素子が別々に設けられた際にデータ信号が入力される入力端子に前記データ／リモコン兼用制御素子からの信号が入力されることを特徴とする請求項４記載の受発光電子部品によって達成される。
【００１６】
前記第１の目的は、請求項１０記載の発明である、発光素子がＬＥＤ、受光素子がフォトダイオードである請求項１または請求項２または請求項４乃至請求項９のいずれかに記載の受発光電子部品によって達成される。
【００１７】
前記第１の目的は、請求項１１記載の発明である、データ信号制御素子がＩｒＤＡコントローラである請求項１または請求項２または請求項４乃至請求項１０のいずれかに記載の受発光電子部品によって達成される。
【００１８】
前記第２の目的は、請求項１２記載の発明である、請求項１または請求項２または請求項４乃至請求項１１のいずれかに記載の受発光電子部品を搭載した携帯端末によって達成される。
【発明の効果】
【００１９】
受発光電子部品の一例であるＩｒＤＡモジュールを組み込んだ携帯電話を設計する際、ＩｒＤＡモジュールに搭載されるＬＥＤの放射強度を調整するためのスイッチや、余分な配線と抵抗をＩｒＤＡモジュールの外部に設けることなく設計が可能となる。また小型化が望まれる携帯電話においては、本発明に係る受発光電子部品の一例であるリモコン送信機能付ＩｒＤＡモジュールは、特に携帯端末の回路基板の大小を左右する携帯端末の先端部に搭載される事が多く、このような場合には小型化につながる携帯端末の回路基板の縮小を可能とする。また携帯端末を設計する際、突然の配線の変更や搭載するコントローラ数の変更にも本発明に係る受発光電子部品の一例であるリモコン送信機能付ＩｒＤＡモジュールを用いることで変更により生じる不都合を受けにくくすることができる。すなわち製品によって変化する受発光電子部品の外部の仕様を容易に満足するインターフェースを提供することができる。
【発明を実施するための最良の形態】
【００２０】
以下、本発明を実施するための最良な形態について説明する。図１は従来のＩｒＤＡモジュールと、それにリモコン送信機能を付け加えるためのリモコンコントローラ等を搭載したリモコン送信機能付携帯電話と、それを用いたリモコン信号とＩｒＤＡデータ信号の送信を行う概略図、図２は従来のＩｒＤＡモジュールと、ＩｒＤＡコントローラとＬＥＤＶＣＣとの接続を示すブロック図（リモコン送信機能追加前）、図３は従来のＩｒＤＡモジュールと、ＩｒＤＡコントローラとリモコンコントローラとＬＥＤＶＣＣとの接続を示すブロック図（リモコン送信機能追加後）、図４は本発明に係わる受発光電子部品の一例であるリモコン送信機能付ＩｒＤＡモジュールの外観の斜視図、図５は本発明に係わる受発光電子部品の一例であるリモコン送信機能付ＩｒＤＡモジュールと、ＩｒＤＡコントローラとリモコンコントローラとＬＥＤＶＣＣとの接続を示すブロック図（ＩｒＤＡコントローラとリモコンコントローラが別）、図６は本発明に係る受発光電子部品の一例であるリモコン送信機能付ＩｒＤＡモジュールと、ＩｒＤＡ／リモコン兼用コントローラとＬＥＤＶＣＣとの接続を示すブロック図（ＩｒＤＡコントローラとリモコンコントローラが兼用）、図７は駆動素子を中心にした、本発明に係わるリモコン送信機能付ＩｒＤＡモジュールのブロック図である。  
【００２１】
本発明に係る受発光電子部品は一般的に、図４に示すように、平面視長矩形状に形成された基板２３と、この基板上に実装された発光素子、受光素子、および駆動素子２１と、これらを一体的に封止する樹脂パッケージなどからなる封止体３０とを具備して構成されており、受発光電子部品の一つとしては発光素子をＬＥＤ２２、受光素子をフォトダイオード２０としたリモコン送信機能付ＩｒＤＡモジュール１が挙げられる。前記基板２３は、ガラスエポキシ樹脂などからなり、その表面には、図示されていないが導体による所定の配線パターンが形成されている。前記基板の側面には、基板の厚み方向に延びる凹溝の内面に導体層が形成された複数の接続端子部３３が形成されており、この接続端子部３３は基板の表面に形成された前記配線パターンと接続されている。またＬＥＤ２２に対向する面に発光用レンズ３１，フォトダイオード２０に対向する面に受光用レンズ３２が形成されている。  
【００２２】
ＬＥＤ２２は基板２３上に実装され、金線などによってワイヤボンディングされて配線パターンと接続されている。フォトダイオード２０もＬＥＤ２２と同様に、基板２３上に実装され、金線などによってワイヤボンディングされて配線パターンと接続されている。また、駆動素子２１は、ＬＥＤ２２およびフォトダイオード２０による送受信動作を制御するものであり、基板２３上に実装され、かつ金線などによってワイヤボンディングされて配線パターンと接続されるとともに、配線パターンを通じてＬＥＤ２２およびフォトダイオード２０に接続される。  
【００２３】
もちろん、接続端子部３３の端子数は図４に示すように８個に限らない。また、図示しないが、周囲における電磁波の影響を抑制するためのシールドケースなどが、リモコン送信機能付ＩｒＤＡモジュール１の外形を覆うように設けられてもよい。  
【００２４】
次に、図４に示す受発光電子部品の一例であるリモコン送信機能付ＩｒＤＡモジュール１を携帯端末等の回路基板（外部回路基板）に実装する方法について説明する。外部回路基板の表面には、リモコン送信機能付ＩｒＤＡモジュール１の各接続端子３３にそれぞれ対応する導体による配線パターンが形成されている。リモコン送信機能付ＩｒＤＡモジュール１を外部回路基板に実装する際には、基板２３の裏面が外部回路基板の表面に対して直交方向に沿うように実装され、接続端子部３３と外部回路基板の表面に形成された配線パターンとが半田付けにより接合される。この際、基板端子接続部３３である開口部は導体による配線パターン上に載るように構成されることとなる。なお、リモコン送信機能付ＩｒＤＡモジュール１は基板の裏面を外部回路基板に当接するように実装してもよい。  
【００２５】
半田付けにより外部回路基板に接続されたリモコン送信機能付ＩｒＤＡモジュール１と、リモコン送信機能付ＩｒＤＡモジュール１に制御信号を与え所望の信号を送信するためのコントローラとは外部回路基板の表面の導体による配線パターンにより接続される。ここで、図５に示すようにＩｒＤＡコントローラ２とリモコンコントローラ３は各々別個のコントローラとして外部回路基板に設置される場合と、図６に示すようにＩｒＤＡコントローラとリモコンコントローラを兼用したコントローラ（ＩｒＤＡ／リモコン兼用コントローラ）５０が外部回路基板に設置される場合がある。  
【００２６】
次に、駆動素子およびＩｒＤＡモジュールの動作を、ＩｒＤＡコントローラ２とリモコンコントローラ３が各々別個に用いられる場合（図５）と、ＩｒＤＡ／リモコン兼用コントローラ５０が用いられる場合（図６）とに分けて説明する。  
【００２７】
ＩｒＤＡコントローラ２とリモコンコントローラ３が各々別個に用いられている場合（図５）、図７に示す駆動素子２１のパッド６（４５），パッド７（４６），パッド９（４８）はそれぞれリモコン信号入力端子であるＴＸ−ＲＣ端子２４と、ＰＷＤＯＷＮ端子２５と、データ信号入力端子であるＴＸＤ端子２７の３入力端子にワイヤボンディングや配線パターンによって接続されているので、リモコン送信機能付ＩｒＤＡモジュール１は前記３つの入力端子への信号状態によって表１の様なa〜ｅの５通りの動作を行う。  
【００２８】
【表１】
2005065229.tif 000012
【００２９】
すなわちａ．ＰＷＤＯＷＮ端子２５がローレベル（Ｌ）、かつＴＸ−ＲＣ２４端子がＬ、かつＴＸＤ端子２７がＬである場合は、スイッチ４１は、ＩｒＤＡコントローラ２からのＩｒＤＡデータ信号を送信するのに適したＬＥＤ２２の放射強度を実現するためＬＥＤ２２に流れる電流を調整するための電流発生手段であるＩｒＤＡドライバ４２と、リモコンコントローラ３からのリモコン信号を送信するのに適したＬＥＤ２２の放射強度を実現するためＬＥＤ２２に流れる電流を調整するための電流発生手段であるリモコンドライバ４３のどちらへの信号も伝達しない状態となり、ＬＥＤ２２は駆動しない。ｂ．ＰＷＤＯＷＮ端子２５がＬ、かつＴＸ−ＲＣ端子２４がＬ、かつＴＸＤ端子２７がハイレベル（Ｈ）、又はＰＷＤＯＷＮ端子２５がＬ、かつＴＸ−ＲＣ端子２４がＨ、かつＴＸＤ端子２７がＨである場合は、スイッチ４１はＩｒＤＡドライバ４２への信号を伝達する状態となり、ＬＥＤ２２はＩｒＤＡデータ信号送信モードとして駆動する。ｃ．ＰＷＤＯＷＮ端子２５がＬ、かつＴＸ−ＲＣ端子２４がＨ、かつＴＸＤ端子２７がＬである場合は、スイッチ４１はリモコンドライバ４３への信号を伝達する状態となり、ＬＥＤ２２はリモコン信号送信モードとして駆動する。ｄ．ＰＷＤＯＷＮ端子２５がＨ、かつＴＸ−ＲＣ端子２４がＬ、かつＴＸＤ端子２７がＬである場合は、スイッチ４１はＩｒＤＡドライバ４２とリモコンドライバ４３のどちらへの信号も伝達しない状態となり、ＬＥＤ２２は駆動しない。ｅ．ＰＷＤＯＷＮ端子２５がＨ、かつＴＸ−ＲＣ端子２４がＬ、かつＴＸＤ端子２７がＨ、又はＰＷＤＯＷＮ端子２５がＨ、かつＴＸ−ＲＣ端子２４がＨ、かつＴＸＤ端子２７がＬ、又はＰＷＤＯＷＮ端子２５がＨ、かつＴＸ−ＲＣ端子２４がＨ、かつＴＸＤ端子２７がＨである場合、つまりＰＷＤＯＷＮ端子がＨであり、ＴＸ−ＲＣ端子２４またはＴＸＤ端子２７のどちらかがＨである場合は、スイッチ４１はリモコンドライバ４３への信号を伝達する状態となり、ＬＥＤ２２はリモコン信号送信モードとして駆動する。  
【００３０】
そして前記ａ〜ｅにおいて、ＰＷＤＯＷＮ端子２５がＬである場合は、ローパスフィルタやコンパレータやパルス整形等からなるから受信信号が通過する部分（受信信号処理部４０）を非導通にするためのパワーダウンコントロール４４は駆動せず、受信信号処理部４０は導通している状態となり受信回路はＯＮとなる。ＰＷＤＯＷＮ端子２５がＨである場合は、受信信号処理部４０を非導通にするためのパワーダウンコントロール４４は駆動し、受信信号処理部４０は導通していない状態となり受信回路はＯＦＦとなる。  
【００３１】
なお、図７に示す駆動素子２１のパッド４７はＲＸＤ端子２６へ、その他のパッド部４９はグランドや電源等に接続され、図５に示すＬＥＤＡ端子２８はＬＥＤＶＣＣ５と接続され、その他の端子２９はグランドや電源等に接続される。図７のうちその他パッド部４９が示すパッド部１０は発光素子であるＬＥＤ２２に駆動素子２１からの信号を伝達する端子であり、その他パッド部４９が示すパッド部１，２は受光素子であるフォトダイオード２０からの信号を駆動素子２１が受けるための端子である。  
【００３２】
ＩｒＤＡコントローラ２とリモコンコントローラ３が各々別個であるとき（図５）は前記表１のリモコン送信機能付ＩｒＤＡモジュール１のａ〜ｅに示す状態を組みあわせることによって、リモコン送信機能付ＩｒＤＡモジュール１を搭載した携帯電話同士によるデータの通信、あるいはリモコン送信機能付ＩｒＤＡモジュール１を搭載した携帯電話を用いて家電の遠隔操作を行う。  
【００３３】
例えば携帯電話同士で、リモコン送信機能付ＩｒＤＡモジュール１を用いて電話番号等のデータを送受信する際には、携帯電話に搭載される携帯電話のＣＰＵ４によってデータ送信側の携帯電話は表１の状態bとなり、その後データ送信を開始する。すなわち、送信側ではＩｒＤＡコントローラ２が選択され、図７のスイッチ４１はＩｒＤＡドライバ４２への信号を伝達する状態となり、図５のＩｒＤＡコントローラ２からの信号はＴＸＤ端子２７から入力され図７のＩｒＤＡドライバ４２を駆動し、駆動されたＩｒＤＡドライバ４２はＬＥＤ２２を駆動することによってＩｒＤＡ信号送信機能対応の放射強度にてＩｒＤＡデータ信号を送信する。  
【００３４】
受信側では携帯電話は表１の
ａの状態であり、受信回路がＯＮであることから図７に示すフォトダイオード２０により送信側からのＩｒＤＡデータ信号を受信し、ＩｒＤＡデータ信号を受信信号処理部４０を通過させることにより、受信したＩｒＤＡデータ信号に含まれるノイズを取り除き波形整形をした後、駆動素子２１のパッド８と、駆動素子２１のパッド８に接続されているリモコン送信機能付ＩｒＤＡモジュール１のＲＸＤ端子２６を経て、図５のＩｒＤＡコントローラ２を介し携帯電話のＣＰＵ４にその信号を伝える。  
【００３５】
また、リモコン送信機能付ＩｒＤＡモジュール１を用いて家電等を遠隔操作する際には、図５の携帯電話に搭載される携帯電話のＣＰＵ４によって図７のリモコンコントローラ３が選択され、スイッチ４１はリモコンドライバ４３への信号を伝達する状態となり、図５のリモコンコントローラ３からの信号はＴＸ−ＲＣ端子２４から入力され図７のリモコンドライバ４３を駆動し、駆動されたリモコンドライバ４３はＬＥＤ２２を駆動することによってリモコン送信機能対応の放射強度にてリモコン信号を送信する。  
【００３６】
ＩｒＤＡコントローラ２とリモコンコントローラ３が兼用であるＩｒＤＡ／リモコン兼用コントローラ５０を用いた場合（図６）は、図７に示す駆動素子２１のパッド７（４６），パッド９（４８）はそれぞれＰＷＤＯＷＮ端子２５と、データ信号入力端子であるＴＸＤ端子２７の２つの入力端子にワイヤボンディングや配線パターンによって接続されているので、リモコン送信機能付ＩｒＤＡモジュール１は前記２つの入力端子への信号状態によって表２の様なｆ〜ｉの４通りの動作を行う。  
【００３７】
【表２】
2005065229.tif 000013
【００３８】
すなわちｆ．ＰＷＤＯＷＮ端子２５がＬ、かつＴＸＤ端子２７がＬである場合は、スイッチ４１はＩｒＤＡドライバ４２とリモコンドライバ４３のどちらへの信号も伝達しない状態となり、ＬＥＤ２２は駆動しない。ｇ．ＰＷＤＯＷＮ端子２５がＬ、かつＴＸＤ端子２７がＨである場合は、スイッチ４１はＩｒＤＡドライバ４２への信号を伝達する状態となり、ＬＥＤ２２はＩｒＤＡデータ信号送信モードとして駆動する。ｈ．ＰＷＤＯＷＮ端子２５がＨ、かつＴＸＤ端子２７がＬである場合は、スイッチ４１はＩｒＤＡドライバ４２とリモコンドライバ４３のどちらへの信号も伝達しない状態となり、ＬＥＤ２２は駆動しない。ｉ．ＰＷＤＯＷＮ端子２５がＨ、かつＴＸＤ端子２７がＨである場合は、スイッチ４１はリモコンドライバ４３への信号を伝達する状態となり、ＬＥＤ２２はリモコン信号送信モードとして駆動する。  
【００３９】
そして前記ｆ〜ｉにおいて、ＰＷＤＯＷＮ端子２５がＬである場合は、受信信号処理部４０を非導通にするためのパワーダウンコントロール４４は駆動せず、受信信号処理部４０は導通している状態となり受信回路はＯＮとなる。ＰＷＤＯＷＮ端子２５がＨである場合は、受信信号処理部４０を非導通にするためのパワーダウンコントロール４４は駆動し、受信信号処理部４０は導通していない状態となり受信回路はＯＦＦとなる。  
【００４０】
本実施の形態ではデータ信号入力端子であるＴＸＤ端子２７に、ＩｒＤＡ／リモコン兼用コントローラ５０からの信号が入力されているが、ＴＸＤ端子２７にかえてリモコン信号入力端子であるＴＸ−ＲＣ端子２４にＩｒＤＡ／リモコン兼用コントローラ５０からの信号が入力されても同一の効果が発揮できるような設計も行なうことができる。なお、ＴＸＤ端子２７の変わりにＴＸ−ＲＣ端子２４を用いると常にＬＥＤ２２がリモコン信号モードとして駆動する状態を創り出すことも可能である。  
【００４１】
本発明は、上述した実施形態に限られることなく、特許請求の範囲に記載した事項の範囲内でのあらゆる設計変更はすべて本発明の範囲に含まれる。例えば、コントローラと入力端子は上述した個数と本数に限られない。また入力端子とＩｒＤＡモジュールの動作の関係はあくまで一例である。また受発光電子部品の一例であるＩｒＤＡモジュールが搭載される携帯端末としては携帯電話、ノートパソコン、システム手帳、ハンドヘルドＰＣ等があり、人間が普段の生活において持ち運びができる端末の全てをいうものとする。携帯端末のほか、本発明に係る受発光電子部品の一例であるＩｒＤＡモジュールは例えば家電製品といった携帯端末以外の日常生活における電子機器や、電気的な動作をするものであればどんなものに搭載してもよい。
【図面の簡単な説明】
【００４２】
【図１】従来のＩｒＤＡモジュールと、それにリモコン送信機能を付け加えるためのリモコンコントローラ等を搭載したリモコン送信機能付携帯電話と、それを用いたリモコン信号とＩｒＤＡデータ信号の送信を行う概略図である。
【図２】従来のＩｒＤＡモジュールと、ＩｒＤＡコントローラとＬＥＤＶＣＣとの接続を示すブロック図（リモコン送信機能追加前）である。
【図３】従来のＩｒＤＡモジュールと、ＩｒＤＡコントローラとリモコンコントローラとＬＥＤＶＣＣとの接続を示すブロック図（リモコン送信機能追加後）である。
【図４】受発光電子部品の一例であるリモコン送信機能付ＩｒＤＡモジュールの外観の斜視図である。
【図５】本発明に係る受発光電子部品の一例であるリモコン送信機能付ＩｒＤＡモジュールと、ＩｒＤＡコントローラとリモコンコントローラとＬＥＤＶＣＣとの接続を示すブロック図（ＩｒＤＡコントローラとリモコンコントローラが別）である。
【図６】本発明に係る受発光電子部品の一例であるリモコン送信機能付ＩｒＤＡモジュールと、ＩｒＤＡ／リモコン兼用コントローラとＬＥＤＶＣＣとの接続を示すブロック図（ＩｒＤＡコントローラとリモコンコントローラが兼用）である。
【図７】駆動素子を中心にした、本発明に係わる受発光電子部品の一例であるリモコン送信機能付ＩｒＤＡモジュールのブロック図である。
【符号の説明】
【００４３】
１  リモコン送信機能付ＩｒＤＡモジュール２  ＩｒＤＡコントローラ（データ信号制御素子）３  リモコンコントローラ（リモコン信号制御素子）４  携帯電話のＣＰＵ１３  携帯電話２０  フォトダイオード２１  駆動素子２２  ＬＥＤ２３  基板２４  ＴＸ−ＲＣ端子（リモコン信号入力端子）２５  ＰＷＤＯＷＮ端子２７  ＴＸＤ端子（データ信号入力端子）５０  ＩｒＤＡ／リモコン兼用コントローラ（データ／リモコン兼用制御素子）